(57)【要約】【課題】  結婚披露宴における着物スタイルで行う色直しに要する時間を大幅に短縮し、披露宴の進行を無駄なく円滑に行うことができ、しかも着付に高い技術力を必要としない掛下着物、及びこれを用いた結婚披露宴の色直し衣装の着付け方法を提供する。【解決手段】  本発明の掛下着物は、衿４、比翼５、袵６、前身頃７からなる上着１と、腰巻状に着用する下着とに分離した二部式の掛下と、帯締め、帯揚げが一体に取り付けられた掛下帯とからなるもので、本発明の着付け方法は、色直しに使用する色柄着物を着付けた後、この色柄着物の上から、二部式の掛下および掛下帯からなる掛下着物を着用し、さらにこの掛下着物の上から、色直し前に着用する着物を重ね着する。【選択図】  図１
2009013536.tif 000002
【特許請求の範囲】
【請求項１】
結婚披露宴において、着物スタイルで行われる色直しに使用される掛下着物であって、衿、比翼、袵、前身頃からなる上着と、腰巻状に着用する下着とに分離した二部式の掛下と、帯締め、帯揚げが一体に取り付けられた掛下帯からなり、前記上着の衿は、被着者の首後ろ回り部が帯状であることを特徴とする掛下着物。
【請求項２】
前記比翼が、衿の内側面に沿って、衿の長さより短く重ね縫いされてなる請求項１に記載の掛下着物。
【請求項３】
前記衿に、衿取付幅で広い扇型の衣紋抜きが取り付けられてなる請求項１又は２に記載の掛下着物。
【請求項４】
色直しに使用する色柄着物を着付けた後、前記色柄着物の上から、二部式の掛下および掛下帯からなる請求項１〜請求項３に記載の掛下着物を着用し、さらにこの掛下着物の上から、色直し前に着用する着物を重ね着することを特徴とする結婚披露宴の色直し衣装の着付け方法。
【発明の詳細な説明】
【技術分野】
【０００１】
本発明は、結婚式の披露宴において、花嫁の着物姿から別の色柄着物スタイルへの色直しを、簡単かつ迅速に行うことのできる掛下着物及びこれを用いた結婚披露宴の色直し衣装の着付け方法に関する。
【背景技術】
【０００２】
近年、花嫁が結婚披露宴で行われる色直しは、年々華やかになってきている。このような色直しが、着物スタイルから別の着物スタイルに着替える場合には、色直しに２０分前後の時間を要している。
【０００３】
色直しに余り時間をとられると、披露宴の座が白けてしまうばかりか、制約された時間内の披露宴の進行が滞るという不都合が生じる。
また、色直しにかかる時間を見込んで披露宴を予約しなければならないため、時間と費用に無駄を生じ、さらには、色柄着物スタイル、白無垢スタイル等、種類の異なる着物スタイルの着付けには、それらに対応した技能が要求されることから、そのような高度な技能を有する着付要員を確保するか、複数人を確保するのは容易でなく費用も嵩む。
【発明の開示】
【発明が解決しようとする課題】
【０００４】
本発明は、上記の点に鑑みてなされたもので、結婚披露宴における色直しが、着物スタイルから別の着物スタイルで行われる場合において、色直しに要する時間を大幅に短縮し、披露宴の進行を無駄なく円滑に行うことができ、しかも着付に高い技術力を必要としない掛下着物、及びこれを用いた結婚披露宴の色直し衣装の着付け方法を提供することを課題とする。
【課題を解決するための手段】
【０００５】
本発明の掛下着物は、着物スタイルで行われる色直しに使用され、衿、比翼、袵、前身頃からなる上着と、腰巻状に着用する下着とに分離した二部式の掛下と、帯締め、帯揚げが一体に取り付けられた掛下帯からなり、前記上着の衿は、被着者の首後ろ回り部が帯状であることを特徴としている。
【０００６】
上記の掛下着物は、比翼が、衿の内側面に沿って、衿の長さより短く重ね縫いされてなるものが好ましく、また、衿には、衿取付幅の広い扇型の衣紋抜きが取り付けられてなるものが好ましい。
【０００７】
本発明の結婚披露宴の色直し衣装の着付け方法は、色直しに使用する色柄着物を着付けた後、前記色柄着物の上から、二部式の掛下および掛下帯からなる前記本発明の掛下着物を着用し、さらにこの掛下着物の上から、色直し前に着用する着物を重ね着することを特徴とする。
【発明の効果】
【０００８】
本発明の掛下着物及びこれを用いた結婚披露宴の色直し衣装の着付け
方法によれば、結婚披露宴において、色柄着物スタイルで行われる色直しに際し、以下のような効果が得られる。
１．色直しに要する時間を、従来の２０分前後から３分前後にまで短縮できるので、新婦の中座時間を大幅に短縮でき、披露宴の進行をスムーズに行うことができる。
２．披露宴時間の短縮が可能となるため費用の低減が図れる。
３．本発明の掛下着物は、構造が簡潔で着脱が簡単に行え、しかも着崩れしにくく、着付に高い技術力を必要とせず、自前からレンタルまで、着物の種類を問わず使用できる。
４．本発明の掛下着物は、必要最小限の大きさの掛下と帯で出来ているため、軽量であり、花嫁に対する負担が少なく、花嫁のいかなる体形にも対応できる。
【発明を実施するための最良の形態】
【０００９】
以下、本発明の実施の形態を、図に基づいて説明する。
図１は、本発明の掛下着物に係る上着の一例を示す模式図であって、（ａ）は正面図であり、（ｂ）は背面図である。
図２は、本発明の掛下着物に係る下着の一例で、広げた状態の模式的な正面図であり、図３は、本発明の掛下着物に係る掛下帯の一例を示す模式的な正面図である。
【００１０】
本発明の掛下着物は、図１に示すような上着１と、図２に示すような下着２に分離した二部式の掛下と、図３に示すような掛下帯３から構成され、色直しに用いる着物の上から着用する。
本発明の掛下着物の上着１は、衿４、比翼５、袵６、前身頃７からなり、衿４は、被着者の首後ろ回り部が帯状（以下、帯状部という）であって、後身頃と袖が形成されていないことに特徴がある。
【００１１】
また、上着１は、図１（ａ）に示すように、帯状部８の左右端部から先方に延びる衿４の側縁に沿って、袵６、前身頃７が連続して一体に形成されて、上着１の前面部Ａ、Ｂを形成している。
さらに、衿４の内側面には比翼５が縫い付けられ、上着１の前面部Ａの表側および前面部Ｂの裏面には、横方向に伸びる固定紐９、９'が取り付けられ、上着１を身に付けた後に、この固定紐９、９'を被着者の身体の回りにまわして結ぶことにより、上着１は被着者に取り付けられる。
【００１２】
比翼５は、図１（ａ）に示すように、衿４の長手方向の裏側面の外側縁、すなわち身頃側の側縁に沿って重ね縫いされているのは常法どおりである。比翼５の内側縁、すなわち身体の中心線側の側縁は、通常は着付けの際に調節される比翼を衿の長手方向より心持ち短くする量に相当した量を短くして適宜の場所、例えば、着付けた際に交叉する場所の近傍で比翼と衿とを縫い合わせ固定し、衿４が比翼５によって張られた状態にしておくことが好ましい。
このような構成とすることにより、上着１を着用した後には、衿４の表面にたるみ（皺）が生じにくくなり、見た目にたるみのない美しい衿４に仕上げることができ。
【００１３】
比翼５は、衿４とは色の異なる生地を用い、衿４の長手方向の内側面に沿って、比翼５の側縁が衿４の外側縁よりもわずかに露出するように重ね縫いすると、上着１を身に付けた際、正面から見て、襟首回りの衿４の内側面と衿４に沿って筋状に露出した比翼の一部が、衿４とは色違いであることから衿４自体が引き立ち、審美性が向上するので好ましく、かつ、下に着用している色直し前の着物が覗き見られることもない。
【００１４】
上着１の衿４には、衿取付幅で広い扇型の衣紋抜き１０を取り付けると良い。一般に、振袖の着付けに際し、着付け後の衿は、被着者の背中側からみてハート形になるのが美しいとされているが、衣紋抜き１０を、衿取付幅の広い扇型にすることにより、衿抜きを安定させ、着付け後の衿の形をハート形に保持し易くなり、首回りの衿形状の形崩れを防ぐことができる。
【００１５】
衣紋抜き１０は、長さが約５３ｃｍ（１尺４寸）、衿取付部から扇型の広がり基部までが、約５５ｃｍ（１尺４寸５分）であり、幅が、衿取付部で約１１．５ｃｍ（３寸）、扇型の広がり基部から先方にかけては約７．５ｃｍ（２寸）とすることが好ましい。
【００１６】
下着２は、花嫁の下半身を覆う腰巻状で、図２に示すように、左から順に、袵２６、前身頃２７、後身頃２８、後身頃２８'、前身頃２７'、袵２６'と連続して縫い付けられ、下着２の左右の上縁に沿って長手方向に、腰紐１２の中間部が一体に取り付けられ、下半身を腰巻状に覆った後、腰紐１２の左右端部を腹部上で交差結束して着用するようになっている。
【００１７】
掛下帯３は、図３に示すように、花嫁の腹部を覆うほぼ矩形の腹面部１３と、この腹面部１３の左右側縁から、それぞれ横方向に一体に延びる帯体部１４からなり、腹面部１３を中心に掛下帯３の表面には、予め、帯締め１５、帯揚げ１６が一体に取り付けられている。
帯揚げ１６は、帯締め位置を自由に調整できるようにするため、帯揚げ１６の中心と両端のみ止めるようにすると良い。
【００１８】
掛下帯３の帯体部１４の左右端部の下辺部には、留め紐１７の一端がそれぞれ一体に取り付けられており、花嫁が上着１及び下着２からなる二部式の掛下を着用した後に、それらの上から掛下帯３の腹面部１３を腹部に当て、帯体部１４、１４を脇腹から背中側にかけて密着させ、さらに、留め紐１７、１７を胴回りの後背部で交差するように回して結んで留める。
【００１９】
留め紐１７は、その一端が帯体部１４の左右端部の下辺部に取り付けられることにより、末広・懐剣を掛下帯３の内側に挿入させても掛下帯３の形が崩れることがなく、また、留め紐１７、１７を胴回りの後背部で交差するように回して結ぶ構成とすることで、掛下帯のフィット感が極めて良好なものとなるので好ましい。
【００２０】
掛下帯３の一例を示すと、腹面部１３は、幅が約２６．５ｃｍ（７寸）、上縁１８及び下縁１９の長さが約２６．５ｃｍ（７寸）の矩形であり、掛下帯３の帯体部１４は、腹面部１３の左右側辺の幅と同じで、左右にそれぞれ延びる長さが、腹面部１３との境界線から約５１．６ｃｍ（１尺１寸）である。
また、掛下帯３の帯体部１４の下縁２１は、腹面部１３の下縁１９の延長線上よりも僅かに上昇する構成とし、帯体部１４の上縁２０は、腹面部１３との境界線から左右の端縁まで下縁２１側に、２０°〜２５°傾斜するように構成すると良い。
【００２１】
このように、帯体部１４の上縁２０を下方に傾斜させた構成にすることにより、色直しに使用する色柄着物用の帯結び（掛下を着用するために、適宜に折り畳み縮小されている）と干渉せず、色柄着物の帯結びの下縁に位置するようになるため、邪魔にならず、色柄着物の帯結びに型崩れや皺等くせが付くのを防止できる。
【００２２】
本発明の掛下着物では、上着１から後身頃と袖を無くし、被着者の背中部分を開けることにより、色直しに用いる色柄着物の上から、本発明の掛下着物を着用した際、重ね着による着膨れを必要最小限に押さえ、被着者に対する負担を少なくすることができる。
【００２３】
また、掛下帯３の腹面部１３には、予め帯締め１５、帯揚げ１６が一体に取り付けられているため、着用後は、通常の帯締めのように、帯の上から通常の帯締めや、帯揚げがなされたように見えるとともに、軽量で被着者に対する負担が少ない。
【００２４】
本発明の掛下着物で、上着１を身体に留めるための固定紐９、９'、下着２の腰紐１２および掛下帯３の留め紐１７は、いずれも、掛下着物の着脱スピードを確保するために滑りにくい布紐を用いると良く、このような布としては、メリヤスが挙げられる。
本発明の掛下着物において、着脱のスピードを速めるために、上記紐類に代えて、マジックテープ（登録商標）を使用することも考えられたが、マジックテープを使用すると掛下着物を正しく着用するための位置決めが容易でなく、剥がすと同時に再付着する等、剥がしに意外と時間が取られ、さらにはマジックテープの使用による衣装、特に刺繍部の損傷の虞と、剥がし音が難点となり好ましくないことが判明した。
【００２５】
次に、本発明の掛下着物を用いた色直し衣装の着付け方法として、一度目の色柄着物による色直しから、最後の色柄着物への色直しをする場合を例に挙げて説明する。
なお、説明を容易にするため、本発明の掛下着物は、上着の比翼を赤色とした他は全て白色とし、一度目の色直しに使用する色柄着物を赤色系着物、最後の色直しに使用する色柄着物を黒色系着物とする。
【００２６】
まず、最後の色直しに使用する黒色系着物を花嫁に着付け、その上から本発明の掛下着物を着用する。
最初に、図１に示した上着１、及び図２に示したような下着２からなる二部式の掛下を、花嫁に着付けた黒系色着物の上から着用する。
【００２７】
上着１は、衿４の帯状部８の内側面を、花嫁の首後ろに位置する黒色系着物の衿の外側面に合わせ、衿４の帯状部８の左右をそれぞれ黒色系着物の衿に沿って身体の前方に回し、衿４に一体に形成された比翼５、袵６および前身頃７からなる上着の左右の前面部Ａ、Ｂで、花嫁の上半身前面を覆い、固定紐９、９'を被着者の身体の回りにまわし、黒色系着物の帯結びの下側で結んで着用する。
下着２は、花嫁の下半身を腰巻状に覆い、下着２の左右の上端部に取り付けられた腰紐１２の先端部を腹部上で結んで留める。
【００２８】
このようにして上着１および下着からなる二部式の掛下を身に着けた後、図３に示すような掛下帯３を花嫁の腹部にセットする。
掛下帯３は、その腹面部１３を、前記二部式の掛下の上から花嫁の腹部に当てがい、帯体部１４、１４を脇腹から背中側にかけて密着させ、留め紐１７、１７'を胴回りに交差するように回し、先端部で結んで掛下帯３を前記掛下上に固定し、結び目から延びる留め紐１７の先端部を掛下帯３の内側面に差込んで、表から見えないようにして留める。
その際、衿４に衣紋抜き１０がある場合には、衣紋抜き１０の引き具合を調整して上着の衿の形を整え、その形を保持できるように衣紋抜き１０の長さを調整しその先端部１１を、被着者の胴回りで結んだ留め紐に巻き付けて係止する。
【００２９】
掛下帯３の腹面部１３には、予め、帯締め１５、帯揚げ１６が一体に取り付けられているため、着用後は、通常の帯締めのように、帯の上から帯締めや帯揚げが取り付けられたように見えて、外観上の違和感が全く生じない。また、上着１には、袖および後身頃が無いため、重ね着による着膨れ感はほとんど感じられない。
このように、本発明の掛下着物を着用することにより、従来の着物の着付けに際して数多く用いられていた紐の数を大幅に少なくすることができ、さらには、御端折の調整も不要となる。
【００３０】
次に、前記したようにして、最後の色直しに使用する黒色系着物の上に、本発明の掛下着物を身に着けた後、色直し前に着用する赤色系着物（内掛）を羽織って重ね着する。
この状態で、白色の上着の衿から僅かに見える赤色の比翼と、首の後ろ回りに配された赤色が、赤色系着物と合致して美しい着物姿に仕上げられる。
もちろん、この赤色系着物（内掛）を重ね着した状態では、黒色系着物は、本発明の掛下着物に隠れて外方から見えることはない。
【００３１】
結婚披露宴では、このような赤色系着物スタイルで状態で登場し、色直し時には、退席した着替え室で、赤色系着物（内掛）を脱ぎ、露出した掛下着物の掛下帯３の留め紐１７、１７'の結び目を解いて外し、上着１の固定紐９、９'および下着２の腰紐１２を順次外すことにより、色直し用の黒色系着物３０が出現する。必要とあれば、色直し着物の帯について、たたみ込まれていた部分を拡げて本来の華やか着付けに変身させる。
この間の行為は、概ね３分間前後で終了することが可能となる。そのため、従来同様の色直しにかかった時間が約２０分間であったものに比べて、色直しに要する時間を大幅に短縮することができる。さらにいえば、色直しのために花嫁が着替え室に移ることなく金屏風の裏側で実施することも可能である。
【図面の簡単な説明】
【００３２】
【図１】本発明の掛下着物に係る掛下の上着の一例を示す模式図であって、（ａ）は正面図であり、（ｂ）は背面図である。
【図２】本発明に係る掛下の下着の一例で、広げた状態を示す正面図である。
【図３】本発明の掛下着物に係る掛下帯の一例を示す模式的な正面図である。
【符号の説明】
【００３３】
１  上着
２  下着
３  掛下帯
４  衿
５  比翼
６  袵
７  前身頃
８  （衿の）帯状部
９、９'  （上着の）固定紐
１０  衣紋抜き
１１  （衣紋抜きの）先端部
１２  （下着の）腰紐
１３  （掛下帯の）腹面部
１４  （掛下帯の）帯体部
１５  帯締め
１６  帯揚げ
１７、１７'  （掛下帯の）留め紐
１８  （掛下帯の腹面部の）上縁
１９  （掛下帯の腹面部の）下縁
２０  （掛下帯の帯体部の）上縁
２１  （掛下帯の帯体部の）下縁
Ａ、Ｂ  上着の前面部
【図１】
2009013536.tif 000003
【図２】
2009013536.tif 000004
【図３】
2009013536.tif 000005